(57)【特許請求の範囲】
【請求項１】
ＰＷＭ制御で駆動する電力変換装置の制御装置において、
前記電力変換装置のスイッチング素子を開閉するための制御信号の周波数であるキャリア周波数を時間と共に変化させるキャリア周波数可変部と、
受信周波数に対応する周波数帯域を前記キャリア周波数可変部へ指令する周波数帯域設定部と、を備え
前記キャリア周波数可変部は、前記周波数帯域設定部で指令される周波数帯域毎に前記キャリア周波数の高調波が含まれないキャリア周波数の集合であるキャリア周波数群を有し、
前記周波数帯域設定部が、周波数帯域を変更して新たな周波数帯域を前記キャリア周波数可変部に指令すると、前記キャリア周波数可変部は、変更前の周波数帯域である第１周波数帯域に対応する第１キャリア周波数群から、変更後の周波数帯域である第２周波数帯域に対応する第２キャリア周波数群へ遷移させるとともに、遷移先の前記第２キャリア周波数群の中から平均値又は中央値以下のキャリア周波数を選択して使用開始することを特徴とする電力変換装置の制御装置。
【請求項２】
前記周波数帯域設定部が新たに第２周波数帯域を指令した場合、
前記キャリア周波数可変部は、現在使用しているキャリア周波数を前記第１キャリア周波数群の平均値または中央値以下に戻し、
指令された第２周波数帯域に対応する前記第２キャリア周波数群の平均値または中央値以下の周波数を選択して使用開始することを特徴とする請求項１に記載の電力変換装置の制御装置。
【請求項３】
前記周波数帯域設定部が新たに第２周波数帯域を指令した場合、
前記キャリア周波数可変部は、指令された第２周波数帯域に対応する前記第２キャリア周波数群中の最小周波数を選択して使用開始することを特徴とする請求項２に記載の電力変換装置の制御装置。
【請求項４】
前記周波数帯域設定部が新たに第２周波数帯域を指令した場合、
前記キャリア周波数可変部は、現在使用しているキャリア周波数を前記第１キャリア周波数群中の最小周波数に戻し、
指令された第２周波数帯域に対応する前記第２キャリア周波数群中の最小キャリア周波数からキャリア周波数として使用開始することを特徴とする請求項３に記載の電力変換装置の制御装置。
【請求項５】
前記周波数帯域設定部は、受信した受信機のチャンネル周波数を検出する受信チャンネル周波数検出部を備え、
前記受信チャンネル周波数検出部は、前記検出したチャンネル周波数を前記周波数帯域として前記キャリア周波数可変部へ出力することを特徴とする請求項１乃至請求項４の何れか１項に記載の電力変換装置の制御装置。
【請求項６】
前記キャリア周波数群からのキャリア周波数の選択は、周期的に繰り返すことを特徴とする請求項１乃至請求項５の何れか１項に記載の電力変換装置の制御装置。
【請求項７】
スイッチング素子を開閉するための制御周波数であるキャリア周波数を時間とともに変化させてＰＷＭ制御する電力変換装置の制御方法において、
受信周波数に対応する周波数帯域毎に前記キャリア周波数の高調波が含まれないキャリア周波数の集合であるキャリア周波数群を記憶する過程と、
第１周波数帯域を指令後に周波数帯域を変更して新たな第２周波数帯域を指令する周波数帯域指令過程と、
前記第２周波数帯域に対応した第２キャリア周波数群の平均値または中央値以下の周波数を選択するキャリア周波数選択過程と、
選択した周波数から第２キャリア周波数群としてＰＷＭ制御に使用するＰＷＭ制御過程と、
を備えたことを特徴とする電力変換装置の制御方法。
【発明の詳細な説明】
【技術分野】
【０００１】
本発明は、スイッチング操作により変換した電力を負荷装置へ供給する電力変換装置の制御装置及び制御方法に係り、特にスイッチングのキャリア周波数に起因する電磁ノイズの影響を抑制する技術に関する。
【背景技術】
【０００２】
従来、パルス幅変調（Pulse Width Modulation、以下ＰＷＭと略す）信号のキャリア周波数およびその高調波の周波数に起因するスイッチングノイズを低減する技術として、下記特許文献１が知られている。この技術によれば、ＰＷＭキャリア周波数に対して、さらに低い周波数を有する正弦波で周波数変調をかけるようにしている。
【特許文献１】特開平７−９９７９５号公報
【発明の開示】
【発明が解決しようとする課題】
【０００３】
しかしながら、上記従来技術においては、周波数変調を行うようにしているため、周波数を変更した直後に、スイッチングノイズを低減することができないという問題点があった。
【０００４】
本発明は、上記問題点に鑑みてなされたものであり、受信周波数に対応する周波数帯域の変更に応じて、キャリア周波数を変更した際に、スイッチングノイズの低減効果が迅速に得られることを目的とする。
【課題を解決するための手段】
【０００５】
上記問題点を解決するために本発明は、ＰＷＭ制御で駆動する電力変換装置の制御装置において、電力変換装置のスイッチング素子を開閉するための制御信号の周波数であるキャリア周波数を時間と共に変化させるキャリア周波数可変部と、受信周波数に対応する周波数帯域をキャリア周波数可変部へ指令する周波数帯域設定部とを備える。
【０００６】
キャリア周波数可変部は、周波数帯域設定部で指令される周波数帯域毎にキャリア周波数の高調波が含まれないキャリア周波数の集合であるキャリア周波数群を有する。周波数帯域設定部が、周波数帯域を変更して新たな周波数帯域をキャリア周波数可変部に指令すると、キャリア周波数可変部は、変更前の周波数帯域である第１周波数帯域に対応する第１キャリア周波数群から、変更後の周波数帯域である第２周波数帯域に対応する第２キャリア周波数群へ遷移させるとともに、遷移先の第２キャリア周波数群の平均値または中央値以下のキャリア周波数を選択して使用開始する。
【発明の効果】
【０００７】
上記構成による本発明によれば、第２キャリア周波数群の平均値または中央値の周波数以下の周波数よりキャリア周波数として選択するため、スイッチングノイズを迅速に低減することができる。
【発明を実施するための最良の形態】
【０００８】
次に、図面を参照して、本発明の実施の形態を詳細に説明する。尚、特に限定されないが、以下に説明する各実施例は、ハイブリッド車両や電動車両の駆動用モータに電力を供給する電力変換装置に好適な制御装置及び制御方法である。
【実施例１】
【０００９】
図１は、本発明に係る電力変換装置の制御装置の実施例１の構成を説明する電力制御システム１の構成図である。図１において、実施例１の電力制御システム１は、直流電力を三相交流電力に変換するインバータである電力変換装置２と、三相交流モータである負荷装置３と、負荷装置に供給される電流を検出する電流検出部４と、負荷装置に供給すべき電流指令を発生する電流指令発生部５と、電力変換装置２を制御する制御装置６とを備えている。
【００１０】
制御装置６は、スイッチング信号生成部７と、キャリア信号生成部８と、キャリア周波数可変部９と、電流制御部１０と、ＥＭＩ抑制帯域決定部１１とを備えている。
【００１１】
制御装置６は、電流指令発生部５からの電流指令値と電流検出部４からの電流検出値を電流制御部１０で演算し、電流制御部１０から電圧指令を出力する。電流制御部１０からの電圧指令がスイッチング信号生成部７へ入力されるとスイッチング信号生成部７ではＰＷＭ比較を行い電力変換装置２へ、オン／オフ信号を出力する。ＥＭＩ抑制帯域決定部１１は、ＥＭＩノイズを抑制する帯域指令をキャリア周波数可変部９へ出力する。キャリア周波数可変部９は、キャリア信号生成部８から出力されるキャリア信号の周波数（キャリア周波数）を変化させる。スイッチング信号生成部７から出力されたオン／オフ信号（ＰＷＭパターン）に従って、電力変換装置２の内部にあるスイッチング素子をオン／オフ動作することで負荷装置３へ電力を供給する。
【００１２】
図２は、図１における電流制御部１０の構成例を示す図である。図２に示すように、電流制御部１０は、電流指令発生部５からの電流指令値と電流検出部４で検出された電流値の偏差を演算する演算部１０１と、演算部１０１で演算された値を比例積分制御（ＰＩ制御）することで電圧指令値を出力する比例積分制御部１０２を構成要素として備えている。図２では電流制御部１０の例として、比例積分制御で説明を行うがこの限りではない。比例制御（Ｐ制御）や比例積分微分制御（ＰＩＤ制御）でもよい。ここで、電流検出部４で検出された電流値とは、例えば電力変換装置２（インバータ）から負荷装置３（交流モータ）に供給されるＵ相、Ｖ相、Ｗ相の電流値を電流検出部４で検出し、座標変換器４１を介して三相量（Ｕ相、Ｖ相、Ｗ相）から二相量であるｄ軸座標、ｑ軸座標の電流に変換する三相／二相の座標変換されたものを示す。
【００１３】
図３は、図１におけるスイッチング信号生成部７の構成例を示す図である。図３に示すように、スイッチング信号生成部７は、電流制御部１０から出力された電圧指令値を座標変換する座標変換部７１と、前記座標変換された値と、キャリア信号生成部８が生成したキャリア信号の値との大小関係を比較する比較器７２ａ、７２ｂ、７２ｃと、比較器７２ａ、７２ｂ、７２ｃの出力信号をそれぞれ反転する信号反転器（インバータ）７３ａ、７３ｂ、７３ｃとを構成要素として備えている。
【００１４】
座標変換部７１は、電流制御部１０から供給される電圧指令値をｄ軸座標、ｑ軸座標の値からＵ相、Ｖ相、Ｗ相の値に変換する二相／三相の座標変換を行っている。座標変換された電圧指令値と、キャリア信号生成部８からの三角波状のキャリア信号とを比較器７２ａ、７２ｂ、７２ｃで比較し、その大小関係に応じて電力変換装置２のＴｕ＋、Ｔｖ＋、Ｔｗ＋へオン／オフ信号を出力する。また信号反転器７３ａ、７３ｂ、７３ｃは、それぞれＴｕ＋、Ｔｖ＋、Ｔｗ＋への信号を反転したＴｕ−、Ｔｖ−、Ｔｗ−への信号を電力変換装置２へのオン／オフ信号として出力する。
【００１５】
次に、図４を参照してキャリア周波数（ｆｃ）の時間変化について説明する。本実施例におけるキャリア周波数の制御は、マイクロコンピュータ等のＣＰＵによって行われる。したがって、本実施例においてキャリア周波数を変化させる場合、キャリア周波数は連続的に変化するのではなく、離散的な値で変化する。例えば、キャリア周波数を三角波状に変化させる場合、キャリア周波数は、図４に示されるように、小さなステップの階段が連続する変化となる。即ち、キャリア周波数の最小値から最大値へ向けて上り階段が続き、最大値に達すると、最小値へ向けて下り階段が続く。最小値に達すると、また上り階段が続くように繰り返している。
【００１６】
キャリア周期の値は、ＣＰＵのクロック周期をΔｔとすると、Δｔの整数倍になる。キャリア周波数はその逆数になる。システム要件（例えばインバータのスイッチング素子の発熱の抑制、音響ノイズの発生の抑制、等）から、キャリア周波数として使用可能な範囲がｆｃmin 以上ｆｃmax 以下と与えられたとする。またＣＰＵのクロック周期がΔｔだとすると、キャリア周波数の変化に用いることができるキャリア周波数値は、Δｔの整数倍の逆数で、かつｆｃmin 以上ｆｃmax 以下の値となる。
【００１７】
図５にスイッチング信号生成部７におけるキャリア信号の波形例を示す。図５に示すように、キャリア信号は三角波状であり、キャリア信号の周波数（キャリア周波数）が一定の場合、三角波のピークとピークの間隔は一定である（破線）。キャリア周波数を時間と共に変化させたものを実線で示す。図示のように、キャリア周波数を時間と共に変化させると、キャリア信号のピークとピークの間隔が変化することで、周波数が変化する。
【００１８】
図６は、図１における電力変換装置２の構成例を示す要部回路図である。図６に示すように、電力変換装置２は、バッテリなどの直流電源２１、コンデンサ２２、６個のスイッチング素子を含むスイッチング回路２３を備える。スイッチング回路２３を構成する各スイッチング素子（Ｔｕ＋，Ｔｕ−，Ｔｖ＋，Ｔｖ−，Ｔｗ＋，Ｔｗ−）は、ＩＧＢＴ(Insulated Gate Bipolar Transistor：絶縁ゲートバイポーラトランジスタ）やＭＯＳ−ＦＥＴ等の半導体素子により構成されている。
【００１９】
電流検出部４は、それぞれ電力変換装置２（インバータ）から負荷装置３（モータ）に供給されるＵ相、Ｖ相、Ｗ相の電流値を検出する。スイッチング回路２３はスイッチング信号生成部７の比較器７２ａ、７２ｂ、７２ｃ、及び信号反転器７３ａ、７３ｂ、７３ｃから出力されるオン／オフ信号に従って、直流電源２１およびコンデンサ２２からなる直流電源の正極または負極を選択し、選択した電極と負荷装置３（モータ）のＵ相、Ｖ相、Ｗ相の各電極とを導電し、負荷装置３（三相モータ）へ交流電力を供給する。
【００２０】
次に、図７を参照してキャリア周波数可変部を説明する。図７に示すように、キャリア周波数可変部９はキャリア周波数群９１を構成要素として備えている。周波数群９１はキャリア周波数を時間と共に変化させることで所望の帯域を空乏化する為のキャリア周波数値の集合である。キャリア周波数可変部９は、ＥＭＩ抑制帯域決定部１１よりＥＭＩノイズを抑制する帯域指令が入力されると、入力された帯域指令に対応した周波数群を周波数群９１から選択し、選択された周波数群内の最小キャリア周波数値からキャリア周波数値の変化をスタートさせる。
【００２１】
図８は、キャリア周波数可変部９における周波数群９１の詳細を示す図である。図８（ａ）は周波数群９１の構成要素であるキャリア周波数（ｆｃ）の選択方法である。図８（ｂ）は各周波数群の内容を示す周波数マップである。図８（ａ）に示すように、本実施例で用いるキャリア周波数ｆｃは、キャリア周波数ｆｃの整数倍の周波数の値、すなわち各ｆｃの高調波に相当する周波数が、所望の周波数帯域（ｆｃｈ）に入らないｆｃの値を選択して、所望の周波数帯域毎にそれぞれ周波数群を構成する。このようなｆｃを選択して周波数群とすることで、周波数群の中の周波数の選択を時間変化とともに順次変更しても、所望の周波数帯域（ｆｃｈ）のＥＭＩスペクトルのレベルを局所的に低減させることができる。
【００２２】
図８（ｂ）は、図８（ａ）で説明した所望の周波数帯域にキャリア周波数の整数倍の高調波が入らないようなキャリア周波数値の集合である周波数群９１をマップにしたものである。カウンタ欄の数値（１，２，…，ｍ）は各キャリア周波数値に付与された番号であり、各周波数群が有するキャリア周波数の個数はｍ個とする。なお、キャリア周波数値の低い値から昇順に番号を付与している。また、横軸に示した周波数群（周波数群１、周波数群２、…、周波数群ｎ）は、各々の所望周波数帯域（ｆｃｈ１、ｆｃｈ２、…、ｆｃｈｎ）のＥＭＩスペクトルのレベルを局所的に低減させるためのキャリア周波数の集合である。表記したｆｃ（ｍ、ｎ）は、ｍがキャリア周波数値の番号であり、ｎが周波数群の番号である（ｍ、ｎは自然数）。例えば、ｆｃ（４、１）とは、周波数群１（所望帯域ｆｃｈ１）における、４番目のキャリア周波数値を示す。
【００２３】
次に周波数群９１の各要素であるキャリア周波数値の個数（図８（ｂ）のカウンタ数）について説明する。キャリア周波数を時間とともに離散的な値で変化させた場合に形成されるＥＭＩスペクトルは、その時に用いるキャリア周波数の離散的な値をそれぞれ用いて、キャリア周波数一定の条件のもとで動作させた場合に形成される各ＥＭＩスペクトルを平均した値と、ほぼ一致する。
【００２４】
またキャリア周波数を一定とした場合のＥＭＩスペクトルは、キャリア周波数の整数倍の周波数にピークを示すスペクトルとなる。このように考えると、キャリア周波数を時間とともに変化させる場合に用いるキャリア周波数の値の個数が少ない場合、ノイズスペクトルは大きな凹凸形状を示すことになる。また、キャリア周波数を時間とともに変化させた場合のＥＭＩスペクトルのエネルギの合計は、キャリア周波数を一定とした場合と比較して、同一であると考えられる。
【００２５】
これは、ＥＭＩノイズの発生要因であるスイッチングの回数の時間平均で同一となることから理解できる。したがって、キャリア周波数を時間とともに変化させる場合に用いるキャリア周波数の値の個数が少ないほど、ＥＭＩノイズスペクトルにおいて凹凸が大きくなり、ＥＭＩスペクトルのピークレベルは高くなる傾向となる。ＥＭＩスペクトルを局所的にレベル低減（所望の帯域にキャリア周波数の整数倍の高調波を入れない）をするだけでなく、その他の帯域においても広帯域にレベル低減をすることが望まれていることから、所望の帯域以外のレベルを低減するためにはスペクトルを平坦にすることが望まれ、そのためにはキャリア周波数を変化させる場合のキャリア周波数として用いる値の個数がある程度以上必要となる。
【００２６】
ここで注意したいのは、各々の周波数群（周波数群１、周波数群２、…、周波数群ｎ）におけるキャリア周波数値に相関性はない。つまり、周波数群１のキャリア周波数値は所望の帯域１（ｆｃｈ１）にキャリア周波数の整数倍の高調波が入らないようなキャリア周波数値の集合であり、周波数群２のキャリア周波数値は所望の帯域２（ｆｃｈ２）にキャリア周波数の整数倍の高調波が入らないようなキャリア周波数値の集合である。
【００２７】
ここで、所望の周波数帯域について説明する。本発明では、「第一の所望周波数帯域（ＥＭＩノイズレベルを局所的に低減する帯域）から第二の所望周波数帯域へ遷移させる際に、遷移時間（変化時間）を小さくする」ことが目的である。
【００２８】
例えば、ラジオ放送を例に所望の帯域について説明する。日本国内におけるＡＭ放送搬送波は、５３１ｋＨｚから１６０２ｋＨｚの範囲で、各局の放送波のチャンネル周波数は９ｋＨｚの倍数の周波数である。またそのチャンネル周波数の±６ｋＨｚの範囲がチャンネル周波数帯域である。つまり１２ｋＨｚが一つの放送波の帯域である。関東地方で受信可能なＪＯＬＦ（コールサイン）は、１２４２ｋＨｚを受信チャンネルとしており、側帯波を含めた帯域は１２３６ｋＨｚから１２４８ｋＨｚである。ここでキャリア周波数の整数倍の高調波が、ラジオ聴取に与える影響を考える。例えばキャリア周波数が２０ｋＨｚである場合、６２次高調波の周波数は１２４０ｋＨｚである。これはＪＯＬＦのチャンネルの帯域に入ることから、音声出力に雑音が混入し、その聴取に影響する可能性がある。この場合、所望の帯域とは１２３６ｋＨｚから１２４８ｋＨｚである。このようにして、所望の帯域を決定する。
【００２９】
図９にＥＭＩ抑制帯域決定部１１よりＥＭＩノイズを抑制する帯域指令が入力された際のキャリア周波数可変部９におけるキャリア周波数群９１の選択方法および切り替え方法を説明する。ここでは、周波数群１と周波数群２を用いて説明するが、特に２つに限定されるものではない。
【００３０】
例えば、図８（ｂ）のキャリア周波数群において、ｍ＝１０、ｎ＝２とすると、周波数群１および周波数群２の配列組み合わせは１０×１０＝１００通り考えられる。この中から最適な要素であるキャリア周波数値の配列および、周波数群１から周波数群２へ遷移（変化）させる際の最適な遷移方法（周波数群１から周波数群２への遷移時間が最小になる方法）を以下に説明する。
【００３１】
［キャリア周波数遷移方法および周波数配列］
いま、キャリア周波数可変部９が周波数群１（所望帯域１に対するＥＭＩを局所的に低減する周波数群）を使用している状態で、ＥＭＩ抑制帯域決定部１１が新たな所望帯域２を決定し、その帯域指令を出力したとする。この帯域指令を入力したキャリア周波数可変部９は、所望帯域２に対応する周波数群２の中で平均値または中央値より低い周波数のキャリア周波数値を選択し、選択した低いキャリア周波数に遷移させて周波数群２の使用を開始する。以下、所望帯域２に対するＥＭＩを局所的に低減する周波数群２を使用する。
【００３２】
さらに、周波数群２におけるキャリア周波数値の最良の選択方法は、周波数群１を使用している状態で、ＥＭＩ抑制帯域決定部１１が新たな所望帯域２を決定し、その帯域指令を出力した場合、キャリア周波数可変部９は、周波数群２の中で最小のキャリア周波数値に遷移させて周波数群２を使用する。それゆえ、各々の周波数群はキャリア周波数値の低い方から配置しておくのがよい。
【００３３】
図９において、ＥＭＩ抑制帯域決定部１１より周波数群１から周波数群２への所望帯域変更指令が入ったら、指令が入った時に使用している周波数選択番号（カウンタ値）に関わらず、周波数群２の最小キャリア周波数値ｆｃ（１，２）に移して、周波数群２を使用する。
【００３４】
なお、図９には、周波数群１から周波数群２へ遷移する際の最良の選択方法を示しているが、本発明では、遷移先の周波数の選択は、最小キャリア周波数値とは限らず、周波数群２の中から平均値または中央値より低い周波数を選択して、選択した周波数を使用することである。つまり、遷移する際に最初に選択する周波数は、周波数群２のｆｃ（１，２）、ｆｃ（２，２）、ｆｃ（３，２）、…、中央値であるｆｃ（ｍ／２，２）でもよい。また、中央値に代えて周波数群２の平均値までで打ち切ってもよい。ただし、最良の選択は周波数群２中の最小キャリア周波数値であるｆｃ（１，２）である。
【００３５】
図１０に、実際のラジオ放送のチャンネル周波数を所望の帯域として、具体的なキャリア周波数値を用いて説明する。図１０（ａ）は、ラジオ放送を所望の帯域とした場合の周波数群である。周波数群１は、関東地方のＪＯＫＲ（ＡＭ搬送波９５４ｋＨｚ、帯域９４８〜９６０ｋＨｚ、ここではｃｈ１とする）の受信に影響を与えないキャリア周波数群であり、単位はｋＨｚである。例えば、カウンタ値１に対応するキャリア周波数２０．５２ｋＨｚの４６次高調波は９４３．９２ｋＨｚであり、４７次高調波は９６４．４４ｋＨｚであり、ＪＯＫＲの帯域９４８〜９６０ｋＨｚを外れている。同様に、カウンタ値１０に対応するキャリア周波数２５．４４ｋＨｚの３７次高調波は９４１．２８ｋＨｚであり、３８次高調波は９６６．７２ｋＨｚであり、ＪＯＫＲの帯域９４８〜９６０ｋＨｚを外れている。
【００３６】
周波数群２は関東地方のＪＯＬＦ（ＡＭ搬送波１２４２ｋＨｚ、帯域１２３６〜１２４８ｋＨｚ、ここではｃｈ２とする）の受信に影響を与えないキャリア周波数群であり、単位はｋＨｚである。例えば、カウンタ値１に対応するキャリア周波数２０．８７ｋＨｚの５９次高調波は１２３１．３３ｋＨｚであり、６０次高調波は１２５２．２ｋＨｚであり、ＪＯＬＦの帯域１２３６〜１２４８ｋＨｚを外れている。同様に、カウンタ値１０に対応するキャリア周波数２４．５９ｋＨｚの５０次高調波は１２２９．５ｋＨｚであり、５１次高調波は１２５４．０９ｋＨｚであり、ＪＯＬＦの帯域１２３６〜１２４８ｋＨｚを外れている。
【００３７】
図１０（ｂ）は、図１０（ａ）周波数群１、周波数群２のキャリア周波数（ｆｃ）の変化例を示したものである。まず、カウンタ値１に対応する最も低いキャリア周波数から初めて、カウンタ値を１ずつ増加させて順次高いキャリア周波数を選択し、カウンタ値１０の最も高いキャリア周波数まで変化させる。その後、カウンタ値を１ずつ減少させて、最も高いキャリア周波数から順次最も低いキャリア周波数へ変化させる。図４で説明したようにキャリア周波数を三角波状に変化させた場合、周波数群１および周波数群２の変調周期は、それぞれの周波数群で用いたキャリア周波数値の各々の逆数（１／ｆｃ）の総和であるｔ１［ｍｓ］およびｔ２［ｍｓ］である。なお、図１０（ｂ）では、三角波状に連続的に示しているが、制御装置６の制御はマイクロコンピュータ等のＣＰＵによって行われる為、キャリア周波数は連続的に変化するのではなく、離散的な階段状の値で変化する。また、ｔ１およびｔ２は数ｍｓのオーダとしている。
【００３８】
図１０（ａ）の説明に戻る。いま、ＡＭ放送の１ｃｈであるＪＯＫＲを受信中に、キャリア周波数可変部９は、ＪＯＫＲの帯域に対するＥＭＩを局所的に低減する周波数群１の中から図１０（ｂ）のようなカウンタ値が上下に往復するようなキャリア周波数の選択を繰り返しているとする。この周波数群１を使用中に、ＥＭＩ抑制帯域決定部１１より、受信チャンネルが２ｃｈへ変更されて、新たにＪＯＬＦが選局されたという情報がキャリア周波数可変部９へ伝えられたとする。このとき、キャリア周波数可変部９は、使用中の周波数群１の中の周波数値が何れの周波数であっても、言い換えれば、カウンタ値が１〜１０の何れの値であっても、カウンタ値を１に設定し直して、周波数群２の中からカウンタ値１に対応するキャリア周波数ｆｃ＝２０．８７ｋＨｚを選択して、この選択した周波数から周波数群２の使用を開始する。
【００３９】
なお、図１０（ａ）は、周波数群２へ遷移する際の最良のキャリア周波数の選択方法を示している。しかし、本発明の範囲は、遷移先の周波数選択は、周波数郡２中の最小キャリア周波数値とは限らず、周波数群２の中から平均値または中央値以下の周波数を選択し、選択した周波数から使用を開始することである。例えば中央値以下の周波数を選択する場合、周波数群２中のカウンタ値１、カウンタ値２、カウンタ値３、カウンタ値４、カウンタ値５のいずれかに対応するキャリア周波数値でもよい。ただし、最良の状態は周波数群２中の最小キャリア周波数値であるカウンタ値１のｆｃ＝２０．８７ｋＨｚである。
【００４０】
以上説明した本実施例によれば、キャリア周波数の高調波によるＥＭＩノイズレベルを局所的に低減したい第１の所望周波数帯域から第２の所望周波数帯域へ遷移させる際に、遷移時間が短くなり、第２の所望周波数帯域におけるノイズレベル抑制を早く始めることができるという効果がある。
【００４１】
また、第２の所望周波数帯域に対応するキャリア周波数群の中から最低キャリア周波数を選択して使用開始することにより、第２の所望周波数帯域におけるノイズレベル抑制を最も早く始めることができるという効果がある。
【００４２】
さらに、電力変換装置の近傍に配置された受信機の受信チャンネルの切換に対応して、素早くノイズレベル抑制を早く始めることができるという効果がある。
【実施例２】
【００４３】
次に図１１から図１２を参照して、本発明の電力変換装置の制御装置および制御方法の実施例２を説明する。
【００４４】
実施例２が実施例１と異なる点は、ＥＭＩ抑制帯域決定部１１よりＥＭＩノイズを抑制する帯域指令が入力された際のキャリア周波数可変部９におけるキャリア周波数群９１の選択方法および切り替え方法である。その他の構成や制御方法は実施例１と同様であるので省略する。
【００４５】
図１１に、図９と同様にＥＭＩ抑制帯域決定部１１よりＥＭＩノイズを抑制する帯域指令が入力された際のキャリア周波数可変部９におけるキャリア周波数群９１の選択方法および切り替え方法を説明する。ここでは、周波数群１と周波数群２を用いて説明するが、特に２つに限定されるものではない。
【００４６】
［キャリア周波数遷移方法および周波数配列］
現在、周波数群１（所望帯域１を局所的に低減）を使用している状態で、ＥＭＩ抑制帯域決定部１１より別の帯域の入力指令（所望帯域２を局所的に低減）が入ってきた際、まず現在まで使用していた周波数群１の中で平均値または中央値以下の低い周波数のキャリア周波数値を選択し、選択したキャリア周波数に遷移させて周波数群２を使用する。
【００４７】
さらに、周波数群１におけるキャリア周波数値の最良の選択方法は、現在、周波数群１（所望帯域１を局所的に低減）を使用している状態で、ＥＭＩ抑制帯域決定部１１より別の帯域の入力指令（所望帯域２を局所的に低減）が入ってきた際、まず現在まで使用していた周波数群１の中で最小のキャリア周波数値に移してから、周波数群２の中で最小のキャリア周波数値に遷移させて周波数群２を使用する。それゆえ、各々の周波数群はキャリア周波数値の低い方から配置しておくのがよい。
【００４８】
図１１において、ＥＭＩ抑制帯域決定部１１より周波数群１から周波数群２への所望帯域変更指令が入ったら、指令が入った時に使用している周波数値（カウンタ値）に関わらず、まず周波数群１の最小キャリア周波数値ｆｃ（１、１）に移してから、周波数群２の最小キャリア周波数値ｆｃ（１、２）に遷移させて、周波数群２を使用する。
【００４９】
ここで、注意すべき点は、ある時から現在まで周波数群１（所望帯域１を局所的に低減）を使用している状態で、ＥＭＩ抑制帯域決定部１１より別の帯域の入力指令（所望帯域２を局所的に低減）が入ってきた際、「まず現在まで使用していた周波数群１の中で最小のキャリア周波数値に移してから」と述べているが、瞬時に移す（例えば、カウンタ５のｆｃ（５，１）から入力と同時にカウンタ１のｆｃ（１，１）に移す）のではなく、カウンタ値が最小になった時点で移してもよい。例えば、入力が入った時点で、カウンタ５のｆｃ（５，１）を使用していた場合、カウンタ値に従って、カウンタ６、カウンタ７、カウンタ８、…とし、最小キャリア周波数値であるカウンタ１のｆｃ（１，１）になった時点で、周波数群２に遷移させてもよい。
【００５０】
なお、図１１には、周波数群２におけるの最良の選択方法を示している（最小のキャリア周波数値を選択）が、本発明においては、最小キャリア周波数値とは限らず、周波数群２の中から周波数の平均値または中央値以下の周波数を選択し、選択した周波数から使用開始することである。例えば中央値以下の周波数を選択する場合、周波数群２のｆｃ（２，１）、ｆｃ（２，２）、ｆｃ（３，２）、…、ｆｃ（ｍ／２，２）でもよい。また平均値以下の周波数でもよい。ただし、最良の状態は周波数群２中の最小キャリア周波数値であるｆｃ（１，２）である。
【００５１】
図１２に、実際のラジオ放送のチャンネル周波数を所望の帯域として、具体的なキャリア周波数値を用いて説明する。使用するキャリア周波数群、キャリア周波数値、ラジオのチャンネル（ｃｈ）は図１０と同様である。図１２は、ラジオ放送を所望の帯域とした場合の周波数群である。図１２（ａ）の周波数群１は、関東地方のＪＯＫＲ（ＡＭ搬送波９５４ｋＨｚ、帯域９４８〜９６０ｋＨｚ、ここではｃｈ１とする）の受信に影響を与えないキャリア周波数群であり、単位はｋＨｚである。図１２（ｂ）の周波数群２は、関東地方のＪＯＬＦ（ＡＭ搬送波１２４２ｋＨｚ、帯域１２３６〜１２４８ｋＨｚ、ここではｃｈ２とする）の受信に影響を与えないキャリア周波数群であり、単位はｋＨｚである。
【００５２】
［キャリア周波数遷移方法および周波数配列］
現在の受信チャンネルをｃｈ１のＪＯＫＲとし、ｃｈ１の周波数帯域に対する高調波の影響を低減した周波数群１を使用している状態で、ＥＭＩ抑制帯域決定部１１からキャリア周波数可変部９へ、新たに受信チャンネルとしてｃｈ２のＪＯＬＦが選択された情報が入力されたとする。キャリア周波数可変部９は、まず現在使用中の周波数群１の中で周波数群１の平均値または中央値以下の周波数のキャリア周波数値を選択し、選択したキャリア周波数に遷移させてから、周波数群２の中からその平均値または中央値以下の周波数のキャリア周波数値を選択し、選択したキャリア周波数から周波数群２の使用を開始する。
【００５３】
さらに、周波数群１、２におけるキャリア周波数値の最良の選択方法は、（ある時から現在まで）周波数群１（所望帯域１を局所的に低減）を使用している状態で、ＥＭＩ抑制帯域決定部１１より別の帯域の入力指令（所望帯域２を局所的に低減）が入ってきた際、その時に使用している周波数値（カウンタ値）に関わらず、まず周波数群１の最小キャリア周波数値に移してから、周波数群２の最小キャリア周波数値に遷移させて周波数群２を使用する。つまり、周波数群１を使用している際に、ＥＭＩ抑制帯域決定部１１より入力指令が入ってきたら（周波数群１の使用している周波数値（カウンタ値）に関わらず）、まず周波数群１の最小キャリア周波数値（この場合は、カウンタ値１のｆｃ＝２０．５２ｋＨｚ）に移してから、周波数群２の最小キャリア周波数値（この場合はカウンタ値１ｆｃ＝２０．８７ｋＨｚ）に遷移させて、周波数群２を使用する。
【００５４】
ここで、注意すべき点は、（ある時から現在まで）周波数群１（所望帯域１を局所的に低減）を使用している状態で、ＥＭＩ抑制帯域決定部１１より別の帯域の入力指令（所望帯域２を局所的に低減）が入ってきた際、「まず現在まで使用していた周波数群１の中で最小のキャリア周波数値に移してから」と述べているが、瞬時に移す（例えば、カウンタ５のｆｃ（５，１）から入力と同時にカウンタ１のｆｃ＝２０．８７ｋＨｚに移す）のではなく、カウンタ値が最小になった時点で移してもよい。例えば、入力が入った時点で、カウンタ５のｆｃ＝２２．４５ｋＨｚを使用していた場合、カウンタ値に従って、カウンタ６、カウンタ７、カウンタ８、…、とし、最小キャリア周波数値であるカウンタ１のｆｃ＝２０．５２になった時点で、周波数群２に遷移させてもよい。
【００５５】
なお、図１２には、周波数群２におけるの最良の選択方法を示している（最小のキャリア周波数値を選択）が、本発明においては、最小キャリア周波数値とは限らず、周波数群２の中から平均値または中央値以下の周波数を選択し、選択した周波数から使用開始することである。つまり、図１１に示す周波数群２のｆｃ（１，２）、ｆｃ（２，２）、ｆｃ（３，２）、…、ｆｃ（５，２）でもよい。ただ、最良の状態は周波数群２中の最小キャリア周波数値であるｆｃ（１，２）である。
【００５６】
以上説明した本実施例によれば、キャリア周波数の高調波によるＥＭＩノイズレベルを局所的に低減したい第１の所望周波数帯域から第２の所望周波数帯域へ遷移させる際に、遷移時間が短くなり、第２の所望周波数帯域におけるノイズレベル抑制を早くすることができるという効果がある。
【００５７】
また本実施例によれば、第２の所望周波数帯域に対応するキャリア周波数群の中から最低キャリア周波数を選択して使用開始することにより、第２の所望周波数帯域におけるノイズレベル抑制をさらに早くすることができるという効果がある。
【００５８】
また本実施例によれば、電力変換装置の近傍に配置された受信機の受信チャンネルの切換に対応して、素早くノイズレベル抑制を早く始めることができるという効果がある。
【００５９】
さらに本実施例によれば、第１の所望周波数帯域に対応するキャリア周波数群の中の最低キャリア周波数へ切り換えてから、第２の所望周波数帯域に対応するキャリア周波数群の中の最低キャリア周波数へ切り換えるので、第２の所望周波数帯域におけるノイズレベル抑制を最も早くすることができるという効果がある。
【００６０】
次に、図１３を参照して、本発明の効果を説明する。図１３は実施例１および実施例２の効果を説明する図である。図１３において、縦軸は、ＥＭＩ抑制帯域決定部１１より所望帯域１（実施例におけるｃｈ１のＪＯＫＲ）から所望帯域２（実施例におけるｃｈ２のＪＯＬＦ）へ切り替えた際のラジオの反応時間を計測したものである。この反応時間とは、ラジオのスピーカ出力に騒音計（人の耳の特性に沿って音圧レベルを測定するもの）を接続し、騒音計の音圧レベルがｃｈ２を検知し十分静かになる（人の耳に聞こえない音圧レベル）まで時間とする。ＥＭＩ抑制帯域決定部１１から指令が入力されるまでは、ラジオはｃｈ１に設定されている為、ｃｈ１からｃｈ２へ遷移するまでに時間を要する。
【００６１】
図１３の横軸の実施例１、実施例２、比較例であるランダムについて説明する。図１３の実施例１とは、周波数群１を使用している際に、ＥＭＩ抑制帯域決定部１１より入力指令が入ってきたら、周波数群１の使用している周波数値（カウンタ値）に関わらず、周波数群２の最小キャリア周波数（この場合は、カウンタ値１のｆｃ＝２０．８７ｋＨｚ）に移してから周波数群２を使用する。ここで、図１３では、ＥＭＩ抑制帯域決定部１１より入力指令が入った際の周波数群１のキャリア周波数値を最高キャリア周波数値（この場合は、カウンタ値１０のｆｃ＝２５．４４ｋＨｚ）とした。なぜなら、実施例１は、周波数群１の使用している周波数値に関わらずであるが、たまたま最小キャリア周波数値（この場合は、カウンタ値１のｆｃ＝２０．５２ｋＨｚ）時点で入力が入ると、実施例２と同様になるので、ここでは最高キャリア周波数値からとしている。
【００６２】
図１３の実施例２とは、周波数群１を使用している際に、ＥＭＩ抑制帯域決定部１１より入力指令が入ってきたら（周波数群１の使用している周波数値（カウンタ値）に関わらず）、まず周波数群１の最小キャリア周波数値、（この場合は、カウンタ値１のｆｃ＝２０．５２ｋＨ）ｚに移してから、周波数群２の最小キャリア周波数値（この場合はカウンタ値１ｆｃ＝２０．８７ｋＨｚ）に遷移させて、周波数群２を使用する。
【００６３】
図１３のランダムとは、比較例であり、本発明の様な周波数群の配置および遷移（変化）方法を使用しない場合のことである。例えば、周波数群１を使用している際に、ＥＭＩ抑制帯域決定部１１より入力指令が入ってきたら、あるカウンタ値により現在選択されて使用いる周波数群１の周波数値から、カウンタ値を変更することなく維持して、このカウンタ値で選択される周波数群２のキャリア周波数値に移り、周波数群２を使用する。
【００６４】
たまたま、ＥＭＩ抑制帯域決定部１１より入力指令が入った際に、周波数群１の最小キャリア周波数値（この場合は、カウンタ値１のｆｃ＝２０．５２ｋＨｚ）を使用しており、周波数群２の最小キャリア周波数値（この場合は、カウンタ値１のｆｃ＝２０．８７ｋＨｚ）に移り、周波数群２を使用すると実施例２の場合と同様の効果となるが、常にそうなるとは限らない。ここでは、最悪の場合、つまり、ＥＭＩ抑制帯域決定部１１より入力指令が入った際に、周波数群１の最高キャリア周波数値（この場合は、カウンタ値１０のｆｃ＝２５．４４ｋＨｚ）を使用しており、周波数群２の最高キャリア周波数値（この場合は、カウンタ値１０のｆｃ＝２４．５９ｋＨｚ）に移った場合を示す。
【００６５】
ただし、この改善の割合は本実施例のキャリア周波数値を使用して実験した結果であり、常に最高で２５％の改善があるわけではない。これは、使用するラジオやキャリア周波数によって改善の程度は変わる。しかし、実施例２、実施例１、ランダムの順で反応時間が長くなる、言い換えれば、本発明によりラジオ反応時間が短縮するという効果の傾向は同じである。
【００６６】
以上の実施例では、ある周波数群から他の周波数群へ遷移（変化）する際、キャリア周波数値の低いものから変化させる方法を記してきた。以下、この理由を説明する。
【００６７】
例えば、周波数帯域５００ｋＨｚから１５００ｋＨｚにおいて、キャリア周波数ｆｃ＝１０ｋＨｚとｆｃ＝２０ｋＨｚの高調波の本数を比較する。ｆｃ＝１０ｋＨｚは１００本の高調波があるのに対し、ｆｃ＝２０ｋＨｚは５０本の高調波である。スペクトル（高調波）のエネルギは一定である為、高調波１本あたりのエネルギはｆｃ＝２０ｋＨｚに比べ、ｆｃ＝１０ｋＨｚの方が小さい。
【００６８】
これより、周波数値が低い程、エネルギが小さいため、ラジオに対するノイズも等価的に小さくなると考えられる。
【００６９】
そのため本発明では、キャリア周波数を周波数群１から周波数群２へ遷移（変化）させる場合、実施例１では、周波数群１を使用している際に、ＥＭＩ抑制帯域決定部１１より入力指令が入ってきたら、周波数群１の使用している周波数値（カウンタ値）に関わらず、周波数群２の最小キャリア周波数に移してから周波数群２を使用する。
【００７０】
実施例２では、さらに新たなＥＭＩ抑制帯域におけるＥＭＩ抑制効果が始まる反応時間を短縮するために、周波数群１を使用している際に、ＥＭＩ抑制帯域決定部１１より入力指令が入ってきたら、周波数群１の使用している周波数値（カウンタ値）に関わらず、まず周波数群１の最小キャリア周波数値に移してから、周波数群２の最小キャリア周波数値に遷移させて、周波数群２を使用する。
【００７１】
ただし、周波数群１および周波数群２共に選択されるキャリア周波数値は、必ずしも最小のキャリア周波数値でなくてもよい。ただ、上記でも説明したように、周波数値が低い程、エネルギが小さいため、ラジオに対するノイズも等価的に小さくなると考えられるため、周波数群１から周波数群２への遷移時間が短くなる。
【００７２】
以上は、電力変換装置の制御装置および制御方法として、直流から交流へ変換するインバータシステムを例として説明したが、本発明はこれに限定されるものではない。例えば、Ｈブリッジのスイッチ素子構成で負荷を駆動するものや、直流電力を任意の大きさ直流電圧に変換して負荷を駆動するＤＣ／ＤＣコンバータ等、スイッチ素子を開閉することでスイッチング周波数（キャリア周波数）およびその整数倍にＥＭＩノイズを発生するものについて適用することができる。
【００７３】
また、本実施例では周波数群として、周波数群１および周波数群２を用いて説明してきたが、周波数群の個数は２個に限定されるものではない。電力変換装置のスイッチングに伴うＥＭＩを抑制したい所望周波数帯域の数と同数の周波数群の個数を備えることは明らかである。
【００７４】
例えば、ＥＭＩ抑制帯域決定部は、受信した受信機のチャンネル周波数を検出する受信チャンネル周波数検出部を備えているため、周波数群の個数は受信する際のラジオチャンネルの個数分はあるということである。
【００７５】
さらに本発明では、キャリア周波数の変化は三角波状変化に限定されない。例えば、正弦波状変化、鋸波状変化をはじめ、さまざまなキャリア周波数の時間変化に適用できる。キャリア周波数の時間変化を三角波状のような周期関数状に配列することにより、キャリア周波数を変えたことに起因する指令値、例えば、インバータのデューティ指令や、電圧指令値等の変動を抑制し易くなるという効果がある。
【図面の簡単な説明】
【００７６】
【図１】本発明に係る電力変換装置の制御装置の実施例１の構成を説明する図である。
【図２】電流制御部の詳細を説明する図である。
【図３】スイッチング信号生成部の詳細を説明する図である。
【図４】キャリア周波数の三角波状変化を説明する図である。
【図５】キャリア信号を説明する図である。
【図６】電力変換部を説明する図である。
【図７】キャリア周波数可変部を説明する図である。
【図８】キャリア周波数可変部における周波数群を説明する図である。
【図９】実施例１におけるキャリア周波数可変部におけるキャリア周波数群の選択方法および切り替え方法を説明する図である。
【図１０】実施例１におけるキャリア周波数可変部におけるキャリア周波数群の選択方法および切り替え方法を説明する図（具体的数値使用）である。
【図１１】実施例２におけるキャリア周波数可変部におけるキャリア周波数群の選択方法および切り替え方法を説明する図である。
【図１２】実施例２におけるキャリア周波数可変部におけるキャリア周波数群の選択方法および切り替え方法を説明する図（具体的数値使用）である。
【図１３】本発明の効果を説明する図である。
【符号の説明】
【００７７】
１  電力制御システム
２  電力変換装置
３  負荷装置
４  電流検出部
５  電流指令発生部
６  制御装置
７  スイッチング信号発生部
８  キャリア信号生成部
９  キャリア周波数可変部
１０  電流制御部
１１  ＥＭＩ抑制帯域決定部
【図１】
0005309685.tif 000002
【図２】
0005309685.tif 000003
【図３】
0005309685.tif 000004
【図４】
0005309685.tif 000005
【図５】
0005309685.tif 000006
【図６】
0005309685.tif 000007
【図７】
0005309685.tif 000008
【図８】
0005309685.tif 000009
【図９】
0005309685.tif 000010
【図１０】
0005309685.tif 000011
【図１１】
0005309685.tif 000012
【図１２】
0005309685.tif 000013
【図１３】
0005309685.tif 000014